(57)【要約】【課題】地震などにより不意に横向きの応力が加わったとしても、収容部が外枠部の外に飛び出して落下するのを防ぐことができ、また収容部内のプレパラートを取り出す場合には容易に収容部を引き出すことができる、安全性が高く且つ使いやすいプレパラート収納ケースを提供する。【解決手段】一の側方が開口された直方体状の外枠部２の中に、上方が開口された直方体状の収容部３が挿入された、引き出し式のプレパラート収納ケース１であって、収容部３の底板下面にはストッパー片Ａ：３ａが突設され、該ストッパー片Ａ：３ａは引き出し方向手前側の面が収容部底面に対して略垂直面３ｂであるとともに、引き出し方向奥側の面が収容部底面に対して角度が浅い斜面３ｃであり、外枠部２の底板上面には前記ストッパー片３ａの引き出し方向手前側の略垂直面３ｂと衝合可能な略垂直面２ｂを有するストッパー片Ｂ：２ａが突設されていることを特徴とする。【選択図】図１０
2010249765.tif 000002
【特許請求の範囲】
【請求項１】
一の側方が開口された直方体状の外枠部の中に、上方が開口された直方体状の収容部が挿入された引き出し式のプレパラート収納ケースであって、
前記収容部の底板下面にはストッパー片Ａが突設され、該ストッパー片Ａは引き出し方向手前側の面が収容部底面に対して略垂直面であるとともに、引き出し方向奥側の面が収容部底面に対して角度が浅い斜面であり、
前記外枠部の底板上面には、前記ストッパー片Ａの引き出し方向手前側の略垂直面と衝合可能な略垂直面を有するストッパー片Ｂが突設されていることを特徴とするプレパラート収納ケース。
【請求項２】
収容部の引き出し方向手前側の側板に手指を挿入して取っ手として使用する取っ手孔が穿設され、
取っ手孔に挿入する手指の推定挿入長さＬ２が、ストッパー片Ａの手前側の垂直面と外枠部のストッパー片Ｂの垂直面とが衝合するまでの引出し長さＬ１よりも長いことを特徴とする請求項１に記載のプレパラート収納ケース。
【請求項３】
取っ手孔に可撓性部材からなる防塵カバーが覆設されていることを特徴とする請求項２に記載のプレパラート収納ケース。
【請求項４】
防塵カバーが可撓性部材からなり、中心部から外方向に放射状に３〜８個の切り込みが設けられていることを特徴とする請求項３に記載のプレパラート収納ケース。
【発明の詳細な説明】
【技術分野】
【０００１】
本発明は、病理組織等の生物標本の薄片が貼り付けられた顕微鏡観察用のプレパラートを収納できるプレパラート収納ケースに係り、特に、地震などにより不意に横向きの応力が加わったとしても、収容部が飛び出して落下するのを防ぐことができ、また収容部内のプレパラートを取り出す場合には容易に収容部を引き出すことができる、安全性が高く且つ使いやすいプレパラート収納ケースに関する。
【背景技術】
【０００２】
生物組織、例えば病理組織の検査は、患者の患部より切除した組織を通常、カセットと称される多数の透孔を有する容器内に入れ、ホルマリン液等により薬液処理した後、包埋トレイと称される容器内に薬液処理した組織を入れた後、包埋トレイの上にカセットを載せ、カセットの上方から溶融パラフィンを包埋トレイ内に流下させ、カセット底部の外側に、組織を包埋したパラフィンブロックが付着した所謂包埋ブロックとされる。この包埋ブロックは、ミクロトームと称される装置の上に組織を包埋するパラフィンブロックを上にして固定された後、薄切りし、切り出した組織片をスライドガラスに載せ、染色を施してカバーガラスを被せ、得られたプレパラートは顕微鏡で観察される。
【０００３】
上記のようにして作成したプレパラートは、再検査の際などに利用できるように、プレパラートケースに収納して保管される。そして、病理組織を再度、観察したい場合、プレパラートケースから所定のプレパラートを取り出して顕微鏡で観察される。
【０００４】
包埋ブロックやスライドガラス（プレパラート）などの試料を整理するための整理ケースとして、多数の包埋ブロックを平面視して縦横に区画して収容する包埋ブロック収納部と、スライドガラスを収容するスライドガラス収納部と、を備え、包埋ブロック収納部による包埋ブロックの配列に、スライドガラス収納部によるスライドガラスの配列を対応させてある整理ケースが提案されている（特許文献１）。
【０００５】
しかしながら、上記特許文献１のような整理ケースでは、目的とする包埋ブロックやスライドガラスを取り出しやすいものの、包埋ブロックやスライドガラスを寝かせた状態で収納するため、包埋ブロック一個当り、又は、スライドガラス一枚当りの必要スペースはかなり大きくなってしまう。しかも、使用済み包埋ブロックや使用済みスライドガラスは大量に発生するが、これらの再検査の頻度はそれほど高くないので、使用頻度が低い試料に大きな保存スペースが必要になるという不都合が生じる。
【０００６】
一方、引き出しの底部付近に長手方向にコイル状のスプリングを張設し、このスプリングにスライドガラスを挟み込む標本マルチラックが販売されている（非特許文献１）。
このようなラックはスライドガラスを垂直に立てて収納するので、小さなスペースに大量のプレパラートを収納することができる。しかしながら、スライドガラスとスライドガラスとの間にスプリングが介在するためスライドガラスの収納量が減じられ、また、スプリングを１〜２個飛ばしてスライドガラスを収納することがあり、この場合はスライドガラス収納量は更に少なくなる。更に、引き出しの前面には引き出す際に指を引っ掛けるためのフックが下向きに突設されているため、このフックに被服を引っ掛けたりする虞れがあり、また、突設したフックのため、ラックを隙間なく並べてコンパクトに保管することができないという問題がある。
【０００７】
更に、上記特許文献１、非特許文献１のいずれのケースも、地震等により横向きの応力が加わった場合には、収納したスライドガラスや包埋ブロックは重量が大きいためこれらを収納した引き出しが勢いよくケース外に飛び出し、落下して貴重な試料を台なしにするばかりでなく、飛び出した引き出しが観察者に当ると大怪我する虞れもある。
【先行技術文献】
【特許文献】
【０００８】
【特許文献１】特開２００７−２５５８９６号公報
【非特許文献】
【０００９】
【非特許文献１】はぎてんネット、標本マルチラック、[ 平成２１年３月１２日検索] 、インターネット＜URL ：http://www.hagitec.co.jp/hagiten/as/as2/as465.ht＞
【発明の概要】
【発明が解決しようとする課題】
【００１０】
本発明はかかる実情に鑑み、従来技術の上記問題点を解消し、小さなスペースに大量のプレパラートを収納できるとともに、地震などの場合でも引き出しが不意に飛び出して落下せず、安全性に優れたプレパラート収納ケースを提供することを課題とする。
【課題を解決するための手段】
【００１１】
上記目的を達成するために、本発明の請求項１は、一の側方が開口された直方体状の外枠部の中に、上方が開口された直方体状の収容部が挿入された引き出し式のプレパラート収納ケースであって、
前記収容部の底板下面にはストッパー片Ａが突設され、該ストッパー片Ａは引き出し方向手前側の面が収容部底面に対して略垂直面であるとともに、引き出し方向奥側の面が収容部底面に対して角度が浅い斜面であり、
前記外枠部の底板上面には、前記ストッパー片Ａの引き出し方向手前側の略垂直面と衝合可能な略垂直面を有するストッパー片Ｂが突設されていることを特徴とするプレパラート収納ケースを内容とする。
【００１２】
本発明の請求項２は、収容部の引き出し方向手前側の側板に手指を挿入して取っ手として使用する取っ手孔が穿設され、
取っ手孔に挿入する手指の推定挿入長さＬ２が、ストッパー片Ａの手前側の垂直面と外枠部のストッパー片Ｂの垂直面とが衝合するまでの引出し長さＬ１よりも長いことを特徴とする請求項１に記載のプレパラート収納ケースを内容とする。
【００１３】
本発明の請求項３は、取っ手孔に可撓性部材からなる防塵カバーが覆設されていることを特徴とする請求項２に記載のプレパラート収納ケースを内容とする。
【００１４】
本発明の請求項４は、防塵カバーが可撓性部材からなり、中心部から外方向に放射状に３〜８個の切り込みが設けられていることを特徴とする請求項３に記載のプレパラート収納ケースを内容とする。
【発明の効果】
【００１５】
本発明によるプレパラート収納ケースは、収容部の底板下面に、引き出し方向手前側の面が収容部底面に対して略垂直面とされたストッパー片Ａが突設されるとともに、外枠部の底板上面には前記ストッパー片Ａの引き出し方向手前側の略垂直面と衝合可能な略垂直面を有するストッパー片Ｂが突設されているため、地震のときなどに、収容部に横向きの力が不意に加わったときでも、収納部のストッパー片Ａと外枠部のストッパー片Ｂの各略垂直面が衝合して収容部が外枠部の外に飛び出して落下するのを防止することができる。
また、収容部内のプレパラートを取り出す場合にはストッパー片Ａと外枠部のストッパー片Ｂの各略垂直面が衝合するまで収容部を引っ張り、その後に収容部を少し持ち上げてストッパー片Ａがストッパー片Ｂを乗り越えさせて引っ張ることにより収容部を容易に引き出すことができる。
収容部を外枠部内に収容するときは、単に外枠部の側方の開口に収容部を押し込むことにより、ストッパー片Ａの引き出し方向奥側の斜面により収容部が自動的にストッパー片Ｂの上に押し上げ乗り越えられるので、簡単に収容できる。
【００１６】
収容部の引き出し方向手前側の側板に取っ手孔を穿設するとともに、取っ手孔に挿入する手指の推定挿入長さＬ２を、ストッパー片Ａの手前側の垂直面と外枠部のストッパー片Ｂの垂直面とが衝合するまでの引出し長さＬ１よりも長くすれば、衝合後にストッパー片Ａをストッパー片Ｂを乗り越えさせるために収容部を持ち上げ際に、挿入された手指の先が外枠部の開口上縁に当たり、収容部内のプレパラートには当たらないので、プレパラートが外枠部の開口上縁に衝突して損傷するのを防止することができる。
【００１７】
取っ手孔に防塵カバーを覆設すれば収容部の内部に塵や埃が入り込まないので、プレパラートの汚染を防止できる。また、防塵カバーが可撓性部材からなり、中心部から外方向に放射状に３〜８個の切り込みを設けることにより、該カバーの略中心部に手指を挿入するとカバーが内側方向に押し開かれ、一方、手指を引き抜くと押し開かれたカバーは元の状態に戻る。従って、カバーの開閉操作が不要で作業性が良好である。
【図面の簡単な説明】
【００１８】
【図１】図１は本発明のプレパラート収納ケースの実施例を示す斜視図である。
【図２】図２（ａ）は図１の外枠部のＡ−Ａ断面図であり、図２（ｂ）は図１の収容部のＡ−Ａ断面図である。
【図３】図３（ａ）は図２（ａ）のＢ−Ｂ断面図であり、図３（ｂ）は図２（ｂ）のＣ−Ｃ断面図である。
【図４】図４（ａ）は図２（ａ）の外枠部の底板上面を示す平面図であり、図４（ｂ）は図２（ｂ）の収容部の底板下面を示す底面図である。
【図５】図５（ａ）（ｂ）は図４（ａ）（ｂ）とは別の外枠部及び収容部の組み合わせを示す、外枠部の底板上面の平面図及び収容部の底板下面の底面図である。
【図６】図６は取っ手孔に覆設する防塵カバーの一例を示す正面図である。
【図７】図７は防塵カバーの他の例を示す正面図である。
【図８】図８は引き出し方向手前の側板の内面側に防塵カバーを設けた例を示す正面図である。
【図９】図９（ａ）は図８の部分Ｂ−Ｂ断面図、図９（ｂ）は（ａ）における取っ手孔に手指を挿入して防塵カバーを開けた状態を示す説明断面図である。
【図１０】図１０（ａ）（ｂ）（ｃ）（ｄ）は本発明のプレパラート収納ケースの使用方法を示す説明図である。
【図１１】図１１（ａ）（ｂ）は本発明のプレパラート収納ケースの使用方法において、収容部を持ち上げた場合を示す説明図である。
【図１２】図１２（ａ）（ｂ）は本発明のプレパラート収納ケースの使用方法において、収容部を持ち上げた場合を示す説明図である。
【発明を実施するための形態】
【００１９】
本発明のプレパラート収納ケースは、図１乃至図４に示した如く、一の側方が開口された直方体状の外枠部２の中に、上方が開口された直方体状の収容部３が挿入された、引き出し式のプレパラート収納ケース１であって、収容部３の底板下面にはストッパー片Ａ：３ａが突設され、該ストッパー片Ａ：３ａは引き出し方向手前側の面が収容部底面に対して略垂直面３ｂであるとともに、引き出し方向奥側の面が収容部底面に対して角度が浅い斜面３ｃであり、外枠部２の底板上面には上記ストッパー片Ａ：３ａの略垂直面３ｂと衝合可能な略垂直面２ｂを有するストッパー片Ｂ：２ａが突設されていることを特徴とする。
【００２０】
本発明で使用する外枠部２は、プレパラートを収納した収容部３を収容可能な、直方体状の箱型部材である。この外枠部２は一の側方が開口されており、図１に示すように、その開口から収容部３を引き出し状に出し入れできるようになっている。
また収容部３はプレパラートを収納可能な、直方体状の箱型部材である。この収容部は上方が開口されており、その開口からプレパラートをコンパクトに収納できるようになっている。
なお、プレパラートは一般にかなり小さく、また数が多いので、これらを整理して収納しやすいように、通常は、一個の外枠部２内に数個の細長い収容部３が収容されるとともに、それぞれの収容部３に個別の引き出し方向規制手段が設けられて、正しい方向に収容部３を引き出すことができるようにされている。
図１乃至図４に示した実施例においては、引き出し方向規制手段として、外枠部２の底板上面に設けられた２本のレール２ｃと、収容部３の底板下面の両縁に設けられたガイドリブ３ｈが用いられ、これにより収容部３の横滑りを防ぎ、収容部３を確実に前後方向に出し入れできるようにされている。
【００２１】
本発明においては、収容部３の下面に設けられたストッパー片Ａ：３ａ及び外枠部２に設けられたストッパー片Ｂ：２ａを用いて、地震等により収容部３に横向きの応力が加わった場合でも、収容部３が抜け落ちないようにされている。
上記ストッパー片：３ａは、例えば図２に示す通り、収容部３の引き出し方向手前側の面が収容部３の底面に対して略垂直面３ｂとされるとともに、引き出し方向奥側の面が収容部３の底面に対して角度が浅い斜面３ｃとされている。
【００２２】
上記ストッパー片Ａ：３ａおよびストッパー片Ｂ：２ａの略垂直面２ｂの位置は、収容部３が外枠部２の奥まで収容されている際に、ストッパー片Ａ：３ａの略垂直面３ｂとストッパー片Ｂ：２ａの略垂直面２ｂとが対向しており、この状態から収容部３に引き出し方向手前側への応力が加わったときに、少しだけ移動して略垂直面３ｂと略垂直面２ｂとが衝合するように配置されている限り特に限定されないが、外枠部２及び収容部３の引き出し方向手前側に配置するのが収容部３の飛び出しを防止する効果が大きい点で好ましい。
図１乃至図４に示した実施例の場合は、ストッパー片Ａ：３ａを収容部３の両縁部で引き出し方向手前側に設けるとともに、ストッパー片Ｂ：２ａをレール２ｃを一部断続的に設けて、引き出し方向手前側の短いレールの奥側面を略垂直面２ｂとして使用した例を示す。
また、図５に示すように、収容部３のストッパー片Ａ：３ａをレール２ｃと重ならない位置に設けるとともに、収容部３を引き出す際のストッパー片Ａ：３ａの移動経路を遮るように、外枠部２のストッパー片Ｂ：２ａを設けてもよい。
なお、ストッパー片Ａ：３ａの略垂直面３ｂとストッパー片Ｂ：２ａの略垂直面２ｂとが衝合する際の引き出し長さＬ１は特に限定されないが、短すぎると収容部３を引き出しにくく、余り長すぎるとプレパラート収納ケース１全体の重心が外れてケース１ごと落下する可能性があるので、プレパラート収納ケース１の大きさにもよるが、通常、５ｍｍ〜５０ｍｍ程度とするのが好ましい（図１１参照）。
【００２３】
収容部３の引き出し方向手前側の側板３ｅ（以後、前板３ｅと称することがある）には、収容部３を引き出しやすくするための取っ手を設けるのが好ましい。取っ手の形状は特に限定されないが、前板３ａから突設する形状の取っ手の場合は衣服等が取っ手に引っ掛かる可能性があるので、手指を挿入して収容部３の内側に引っ掛けて引っ張ることができるように、取っ手孔３ｆを穿設する方法が好ましい。
なお、取っ手孔３ｆに挿入する手指の推定挿入長さＬ２を、前述のストッパー片Ａ：３ａの略垂直面３ｂとストッパー片Ｂ：２ａの略垂直面２とが衝合する際の引き出し長さＬ１よりも長くすると、後述の理由により、収容部３を引き出す際にプレパラートを損傷させず、安全にプレパラートを出し入れすることができるようになる。
例えば、一般に取っ手孔３ｆを設けた場合、通常、指の第１関節の部分を取っ手孔３ｆに挿入し収容部３の内側に引っ掛けるようにして収容部３を引き出すが、成人の場合、指の第１関節から指先の長さは１５〜３０ｍｍ程度なので、取っ手孔３ｆに挿入する手指の推定挿入長さＬ２は１５〜３０ｍｍであり、これに合わせて上記した引き出し長さＬ１を５〜１０ｍｍ程度にするのが好ましい。
【００２４】
取っ手孔３ｆを設けた場合、その取っ手孔３ｆから塵や埃が侵入するのを防ぐため、防塵カバー３ｇを取っ手孔３ｆに覆設するのが好ましい。
防塵カバーの形状、構造は、取っ手孔３ｆを覆って、この取っ手孔３ｆを塞ぐものであれば特に限定されないが、例えば図６に示したように、中心部から外方向に放射状に３〜８に分割されるように切り込みが入れられた可撓性部材製のシートを貼着してなる防塵カバー３ｇを取っ手孔３ｆに覆設し、手指を入れると防塵カバー３ｇが内側に押し開かれ、手指を引き抜くと押し開かれた防塵カバーが元の状態に戻り取っ手孔３ｆを閉鎖するようにすると、防塵カバーの開閉が自動的にできるので好都合である。また、図７に示したように、取っ手孔３ｂの上方で枢着された防塵カバー３ｇを用い、収容部３を引き出す際にこの防塵カバー３ｇを上方に回動させて取っ手孔３ｆに手指を挿入するようにしてもよい。
【００２５】
図６、図７では前板３ｅの外面側に防塵カバー３ｇを設けた例を記載したが、図８、図９に示すように前板３ｅの内面側に防塵カバー３ｇを設けてもよい。この例において、防塵カバー３ｇは外枠部２の開口上縁２ｄ付近から垂下されているとともに、その上端付近で外枠部２に枢着されている。また、この防塵カバー３ｇはバネ等の弾性機構（図示せず）により外側に付勢されており、収容部３が外枠部２内に収納されている状態で、防塵カバー３ｇが前板３ｅの内面側に押圧された状態になり（図９（ａ）参照）、塵や埃等の侵入が防がれる。
このようなプレパラート収納ケース１において、取っ手孔３ｆから手指Ｆで防塵カバー３ｇを押し込めば、防塵カバー３ｇは弾性機構の押圧力に逆らって後側に押し上げられ、手指Ｆを挿入できる（図９（ｂ）参照）。
【００２６】
本発明のプレパラート収納ケース１の使用方法を図１０乃至図１２に基づいて説明する。
本発明のプレパラート収納ケース１において、通常、図１０（ａ）に示したように、収容部３は外枠部２の奥まで挿入収容されている。地震などにより不意に収容部３に横向きの応力が加わった場合、図１０（ｂ）に示したように、収容部３は引き出し長さＬ１の分だけ飛び出るが、そこで収容部３のストッパー片Ａ：３ａの略垂直面３ｂと外枠部２のストッパー片Ｂ：２ａの略垂直面２ｂとが衝合するので、それ以上は飛び出すことが阻止される。
収容部に収納されたプレパラートを取り出す場合、図１０（ｃ）に示したように、収容部３の手前側を図１０（ｂ）の状態から上に持ち上げてストッパー片Ａ：３ａの斜面３ｃがストッパー片Ｂ：２ａを乗り越えるようにすれば、図１０（ｄ）に示したように、収容部３を最後まで引き出すことができる。
【００２７】
この場合、図１１（ａ）に示したように引き出し長さＬ１が長い場合、収容部３を引き出すために収容部３の手前側を持ち上げる際、図１１（ｂ）に示したように持ち上げすぎて、収容部３に収容されたプレパラートが外枠部２の開口上縁２ｄと衝突し、破損する可能性がある。
これを避けるためには、図１２（ａ）に示すように、取っ手孔３ｆに挿入する手指Ｆの推定挿入長さＬ２を引き出し長さＬ１よりも長くすればよい。この場合、収容部３の前側を持ち上げたときに、図１２（ｂ）に示したように、手指Ｆの先が外枠部２の開口上縁２ｄに触れるのでそれ以上は持ち上がることがなく、プレパラートと開口上縁２ｄの衝突を防ぎプレパラートの破損を防止することができる。
【００２８】
また、収容部３を外枠部２の中に挿入収容する場合は、収容部３のストッパー片Ａ：３ａの斜面３ｃを外枠部２のストッパー片Ｂ：２ａ上を摺動させ押し込むだけで外枠部２内に収容される。
【産業上の利用可能性】
【００２９】
叙上のとおり、本発明のプレパラート収納ケースによれば、地震などにより不意に横向きの応力が加わったとしても、収容部３のストッパー片Ａと外枠部２のストッパー片Ｂとが衝合することにより収容部が外枠部の外に飛び出して落下するのを防ぐことができる。また、収容部に収納したプレパラートを取り出す場合には、収容部を持ち上げながら引っ張ることによりストッパー片Ａとストッパー片Ｂとの衝合が開放され容易に収容部を引き出すことができ、また、同様に、収容部を少し持ち上げストッパー片Ａをストッパー片Ｂを乗り越えさせることにより容易に収容できるので、安全性が高く且つ使いやすいプレパラート収納ケースとして頗る有用である。
【符号の説明】
【００３０】
１  プレパラート収納ケース
２  外枠部
２ａ  ストッパー片Ｂ
２ｂ  略垂直面
２ｃ  レール
２ｄ  開口上縁
３  収容部
３ａ  ストッパー片Ａ
３ｂ  引き出し方向手前側の面（略垂直面）
３ｃ  引き出し方向奥川の面（斜面）
３ｄ  ガイドリブ
３ｅ  引き出し方向手前側の側板（前板）
３ｆ  取っ手孔
３ｇ  防塵カバー
３ｈ  ガイドリブ
Ｌ１  引き出し長さ
Ｌ２  手指の推定挿入長さ
Ｆ  手指
【図１】
2010249765.tif 000003
【図２】
2010249765.tif 000004
【図３】
2010249765.tif 000005
【図４】
2010249765.tif 000006
【図５】
2010249765.tif 000007
【図６】
2010249765.tif 000008
【図７】
2010249765.tif 000009
【図８】
2010249765.tif 000010
【図９】
2010249765.tif 000011
【図１０】
2010249765.tif 000012
【図１１】
2010249765.tif 000013
【図１２】
2010249765.tif 000014